(57)【要約】【課題】筐体にパネルを取り付けることにより容易に各種設定を変更することができる情報処理装置を提供する。【解決手段】本発明に係る情報処理装置１０は、パネルを着脱可能な第１の筐体１１により覆われたディスプレイユニット１３および第２の筐体１２により覆われた情報処理装置本体１４を備える。情報処理装置本体１４は、少なくとも、ＣＰＵ、ＲＡＭ、ＲＯＭ、ネットワーク接続部および記憶部群を有する。ＣＰＵは、ＲＯＭ内に記憶されたプログラムに従って、情報処理装置１０の処理動作を制御する。ＣＰＵは、ＲＯＭ内に記憶された設定変更プログラムおよびプログラムの実行のために必要なデータを、ＲＡＭへロードし、設定変更プログラムに従って、パネルの着脱にともない各種設定を容易に変更する処理を実行する。ＣＰＵは、設定変更プログラムによって、少なくとも取付け判定部、種別識別部、設定群取得部、表示制御部、選択取得部、設定変更部、設定異同判定部および設定差戻し判定部として機能する。【選択図】  図１
2009020576.tif 000002
【特許請求の範囲】
【請求項１】
音声出力、表示出力および発光出力などのユーザにより知覚可能な出力に関する各種設定を変更可能な情報処理装置であって、
パネルが着脱可能な筐体と、
前記パネルの種別と、前記パネル用の前記設定の項目およびこの設定項目に設定されるべき設定データからなる設定群とを、関連付けて記憶するパネル用設定群記憶手段と、
前記筐体に前記パネルが取り付けられているか否かを判定する取付け判定手段と、
前記取り付けられているパネル用の前記設定群にもとづいて前記各種設定を変更する設定変更手段と、
を備えたことを特徴とする情報処理装置。
【請求項２】
前記取り付けられているパネルの種別を識別する種別識別手段をさらに備え、
前記筐体は、被取付け識別手段を有し、
前記パネルは、前記被取付け識別手段と対応する位置に前記パネルに固有の取付け識別手段を有し、
前記被取付け識別手段は、前記パネル固有の取付け識別手段が前記筐体の被取付け識別手段に取り付けられている場合に、前記取り付けられているパネルの種別に応じた信号を出力し、
前記種別識別手段は、前記取り付けられているパネルの種別に応じた信号にもとづいて前記取り付けられているパネルの種別を識別することを特徴とする請求項１記載の情報処理装置。
【請求項３】
音声出力、表示出力および発光出力などのユーザにより知覚可能な出力に関する各種設定を変更可能な情報処理装置であって、
パネルが着脱可能な筐体と、
前記筐体に前記パネルが取り付けられているか否かを判定する取付け判定手段と、
前記各種設定を変更する設定変更手段と、
を備え、
前記パネルは、前記パネル用の設定群を記憶する不揮発性記憶手段を有し、
前記設定変更手段は、
前記不揮発性記憶手段に記憶されている前記不揮発性記憶手段を有するパネル用の設定群にもとづいて前記各種設定を変更することを特徴とする情報処理装置。
【請求項４】
前記各種設定を変更するにあたり、前記変更前の前記各種設定を記憶する前回設定記憶手段をさらに備え、
前記設定変更手段は、
前記各種設定を変更するにあたり、前記変更前の各種設定を前記前回設定記憶手段に記憶させる機能をさらに有することを特徴とする請求項１ないし３のいずれか１項に記載の情報処理装置。
【請求項５】
前記各種設定のうち、前記変更を行うべき前記設定項目の情報を取得する選択取得手段をさらに備え、
前記設定変更手段は、
前記各種設定を変更するにあたり、前記変更を行うべき設定項目の情報にもとづいて、前記パネル用の設定群のうち、前記変更を行うべき設定項目の前記変更前の各種設定ついてのみ前記前回設定記憶手段に記憶させる機能をさらに有する、
請求項４記載の情報処理装置。
【請求項６】
前記各種設定のうち、前記変更を行うべき前記設定項目の情報を取得する選択取得手段をさらに備え、
前記設定変更手段は、
前記変更を行うべき設定項目の情報にもとづいて、前記パネル用の設定群のうち、前記変更を行うべき設定項目についてのみ前記変更を行う機能をさらに有する、
請求項１ないし５のいずれか１項に記載の情報処理装置。
【発明の詳細な説明】
【技術分野】
【０００１】
本発明は、筐体に対してパネルを着脱可能な情報処理装置に関する。
【背景技術】
【０００２】
最近、携帯電話機などの情報処理装置には、ユーザが好みに応じてイメージを変更できるようになっているものがある。このイメージの変更方法としては、一般に、大きく次の二通りが提供されている。
【０００３】
第１のイメージ変更方法は、表示装置に出力される各種画像の設定や、スピーカに出力される各種音の設定や、ライトの発光色の設定などの各種設定を変更することにより、情報処理装置のイメージをユーザが自らの好みに応じて変更する方法である。
【０００４】
従来、この各種設定を容易に変更する技術として、たとえば特開２００５−５９０１号公報（特許文献１）に開示されたものがある。特開２００５−５９０１号公報（特許文献１）に開示された携帯電話端末装置は、画像および音に係る各種設定（壁紙や着信音など）に適用されるべき画像の情報（画像データ）および音の情報（音データ）からなる設定群を取得し、この設定群を用いて、各種設定を、この設定群に属する全ての画像および音に、１回の操作で変更することができるようになっている。
【０００５】
第２のイメージ変更方法は、筐体に対してパネル（カバー部材、ジャケット）を取り付ける方法である。パネルを取り付けることにより情報処理装置の外観を変更することができるため、この方法によっても、情報処理装置のイメージをユーザが自らの好みに応じて変更することができる。
【特許文献１】特開２００５−５９０１号公報
【発明の開示】
【発明が解決しようとする課題】
【０００６】
しかし、従来の技術では、各種設定の変更と、パネルの取り付けとを別々に行う必要がある。このため、各種設定の変更により実現されるイメージと、パネルを取り付けることにより実現されるイメージとが異なり、全体のイメージがユーザの望むイメージから離れてしまう場合がある。この場合、パネルを含む情報処理装置全体のイメージをユーザの嗜好に合わせるためには、パネルを取り替えるたびに、各種設定の変更をユーザ自らが行う必要が生じてしまう。
【０００７】
したがって、従来の技術では、たとえば特許文献１に開示された技術を利用すれば壁紙や着信音などの各種設定の変更を１回の操作で行うことができるとはいえ、パネルを取り替えることによるイメージの変化に対応するためには、その都度ユーザ自らによる各種設定の変更作業が必要となってしまう。
【０００８】
本発明は、上述した事情を考慮してなされたもので、筐体にパネルを取り付けることにより容易に各種設定を変更することができる情報処理装置を提供することを目的とする。
【課題を解決するための手段】
【０００９】
本発明に係る情報処理装置は、上述した課題を解決するために、音声出力、表示出力および発光出力などのユーザにより知覚可能な出力に関する各種設定を変更可能な情報処理装置であって、パネルが着脱可能な筐体と、前記パネルの種別と、前記パネル用の前記設定の項目およびこの設定項目に設定されるべき設定データからなる設定群とを、関連付けて記憶するパネル用設定群記憶手段と、前記筐体に前記パネルが取り付けられているか否かを判定する取付け判定手段と、前記取り付けられているパネル用の前記設定群にもとづいて前記各種設定を変更する設定変更手段と、を備えたことを特徴とするものである。
【００１０】
また、本発明に係る情報処理装置は、上述した課題を解決するために、音声出力、表示出力および発光出力などのユーザにより知覚可能な出力に関する各種設定を変更可能な情報処理装置であって、パネルが着脱可能な筐体と、前記筐体に前記パネルが取り付けられているか否かを判定する取付け判定手段と、前記各種設定を変更する設定変更手段と、を備え、前記パネルは、前記パネル用の設定群を記憶する不揮発性記憶手段を有し、前記設定変更手段は、前記不揮発性記憶手段に記憶されている前記不揮発性記憶手段を有するパネル用の設定群にもとづいて前記各種設定を変更することを特徴とするものである。
【発明の効果】
【００１１】
本発明に係る情報処理装置によれば、筐体にパネルを取り付けることにより容易に各種設定を変更することができる。
【発明を実施するための最良の形態】
【００１２】
本発明に係る情報処理装置の実施の形態について、添付図面を参照して説明する。なお、以下の説明においては、折りたたみ式の携帯電話機を情報処理装置の一例として示す。
【００１３】
図１は、本発明に係る情報処理装置の第１実施形態を示す概略的な全体構成図である。図１（ａ）には情報処理装置１０が開いている状態における正面からみた外観図を、図１（ｂ）には側面から見た外観図を、それぞれ示した。また、図２は、図１に示す情報処理装置１０が閉じている状態における正面から見た外観図であり、図３は、図１に示す情報処理装置１０が開いている状態における背面から見た外観図である。
【００１４】
情報処理装置１０は、第１の筐体１１により覆われたディスプレイユニット１３および第２の筐体１２により覆われた情報処理装置本体１４を備える。また、情報処理装置１０は、複数の発光部からなる発光部群１５を有し、各発光部の光を制御可能に構成される。本実施形態においては、情報処理装置１０が、発光部群１５として、第１の発光部、第２の発光部および第３の発光部を備える場合の例について説明する。
【００１５】
ディスプレイユニット１３は、情報処理装置本体１４に対して、開閉軸を中心として矢印Ｘの方向に開閉自在となるように、連結部１９（ヒンジ）を介して連結される。ディスプレイユニット１３が開閉軸を中心として矢印Ｘの方向に回転することにより、情報処理装置１０は、図１（ａ）および（ｂ）の開いている状態（以下、開状態という）と、図２の閉じた状態（以下、閉状態という）とで位置決めすることができる。
【００１６】
ディスプレイユニット１３は、表示装置としてのＬＣＤ２０および第１の発光部としての第１のＬＥＤ１６を有する。
【００１７】
ＬＣＤ２０は、ＬＣＤ２０の背景画像（以下、壁紙という）、壁紙に重畳表示される電池残量や電波強度を概略的に示す画像などの各種アイコンや、着信時に表示される画像および映像などを表示する。
【００１８】
第１のＬＥＤ１６は、たとえば第１の筐体１１の背面に設けられる（図２および図３参照）。この第１のＬＥＤ１６は、情報処理装置１０に対する音声着信やメール着信などの外部からのアクセスに応じて、およびユーザによる操作部２１の操作に応じて、あらかじめなされた設定に従って、発光する。なお、第１のＬＥＤ１６は、ディスプレイユニット１３に設けられる必要はなく、情報処理装置本体１４や連結部１９に設けられてもよい。
【００１９】
情報処理装置本体１４は、操作部２１、音声出力装置としてのスピーカ２２、ＣＣＤカメラ２３、第２の発光部としての第２のＬＥＤ１７および被取付け識別部２４を有する。
【００２０】
操作部２１は、第２の筐体１２上面の中央部に設けられる（図１（ａ）参照）。操作部２１は、少なくとも、ＬＣＤ２０に表示された画像のうちの１つをユーザが選択するための選択キーおよび選択を確定するための決定キー２１ｂを有する。図１（ａ）には、選択キーとして十字キー２１ａが設けられ、選択を確定する決定キー２１ｂがこの十字キー２１ａの中央部に設けられる場合の例について示した。
【００２１】
また、情報処理装置本体１４の操作部２１内側には、第３の発光部としての第３のＬＥＤ１８が設けられる。操作部２１の各ボタンは、それぞれの一部または全部が光を透過するよう構成される。第３のＬＥＤ１８は、情報処理装置１０に対する音声着信やメール着信などの外部からのアクセスに応じて、およびユーザによる操作部２１の操作に応じて、あらかじめなされた設定に従って、発光する。開状態において、この光は操作部２１の各ボタンを透過し、ユーザにより視認可能となる。
【００２２】
なお、第３の発光部は、各操作ボタン直下にそれぞれ配置されるＬＥＤにより構成してもよいし、操作部２１全体の透過光を担う１つの平面発光部材により構成してもよい。各操作ボタン直下にそれぞれ配置されるＬＥＤにより第３の発光部を構成する場合、１つの平面発光部材により構成する場合に比べ、各ＬＥＤの発光色や発光のタイミングを制御することにより、第３のＬＥＤ１８全体として、より様々な発光態様を実現することができる。
【００２３】
スピーカ２２は、たとえば第２の筐体１２側面に設けられる。（図１（ｂ）参照）。このスピーカ２２は、音声着信やメール着信などがあった際や、ユーザによる操作部２１の操作に応じて、あらかじめなされた設定に従って各種音を出力する。
【００２４】
ＣＣＤカメラ２３および第２のＬＥＤ１７は、たとえば第２の筐体１２背面に設けられる（図３参照）。ＣＣＤカメラ２３は、主にユーザが所望の対象を撮影するために利用される。第２のＬＥＤ１７は、あらかじめなされた設定に従って、撮影時にＣＣＤカメラ２３の露光を増すために発光する。また、第２のＬＥＤ１７は、情報処理装置１０に対する音声着信やメール着信などの外部からのアクセスに応じて、およびユーザによる操作部２１の操作に応じて、あらかじめなされた設定に従って、発光する。なお、スピーカ２２、ＣＣＤカメラ２３および第２のＬＥＤ１７は、情報処理装置本体１４に設けられる必要はなく、ディスプレイユニット１３や連結部１９に設けられてもよい。
【００２５】
図４は、第１の筐体１１に対して着脱可能なパネルを取り付ける際の様子を示す説明図である。なお、以下の説明においては、パネルが、情報処理装置１０の第１の筐体１１に対して着脱可能である場合について説明するが、第２の筐体１２に対して着脱可能なパネルや、第１および第２のパネルの双方に着脱可能なパネルについても本発明を適用することができる。また、パネルは、情報処理装置１０のデザインを変更する目的で取り付けられる。情報処理装置１０は、すでに第１の筐体１１および第２の筐体１２で覆われ、通常の使用状態においてはパネルを装着せずに用いることができる。
【００２６】
図４に示すように、被取付け識別部２４は、たとえば第１の筐体１１側面に設けられる。この被取付け識別部２４は、パネルが取り付けられた際に、パネルが取り付けられている旨の信号を出力する機能と、取り付けられたパネル種別に応じたパネル識別信号を出力する機能を有する。
【００２７】
取り付けられたパネルの種別を識別するための方法として、たとえば、各パネルにはパネル固有の凸部または凹部からなる取付け識別部３１を設けておき、情報処理装置１０にはこのパネル固有の取付け識別部３１に対応する位置に凹部または凸部からなる被取付け識別部２４を設けておくことが考えられる。この方法を適用する場合、情報処理装置１０の被取付け識別部２４は、パネル固有の取付け識別部３１が嵌合することにより、パネル種別に応じた信号を出力することができる。本実施形態では、図４に示すように、被取付け識別部２４が陥没式ボタンからなる第１〜第３の３つの被取付け識別部要素２４ａ〜２４ｃを有し、取付け識別部３１が凸部からなる第１〜第３の３つの取付け識別部要素３１ａ〜３１ｃのうち少なくとも１つを有する場合の例について説明する。
【００２８】
図５は、パネルの取付け識別部要素３１ａ〜３１ｃの組み合わせと、パネル種別Ｐ１〜Ｐ７との対応関係を示す説明図である。被取付け識別部２４は、陥没式ボタンの少なくとも１つが押し込まれることにより、パネルが取り付けられている旨の信号を出力する。また、被取付け識別部要素２４ａ〜２４ｃのうち、押し込まれた要素の組み合わせごとに、異なるパネル識別信号を出力する。本実施形態では、被取付け識別部要素の数を３つとしている。このため、７種のパネル識別信号を出力することが可能である。したがって、本実施形態に係る情報処理装置１０は、図５に示すように、パネルＰ１〜Ｐ７の７種のパネルを識別することができる。より多くのパネル種別を識別したい場合は、被取付け要素を増やすとよい。たとえば被取付け要素の数が４つの場合、１５種のパネル種別を識別することが可能となる。
【００２９】
なお、パネルが取り付けられている旨の信号は、パネル識別信号をもって代用してもよい。また、被取付け識別部２４は、第１の筐体１１側面の一面のみに設けられる必要はなく、たとえば右側面に１つおよび左側面に２つ設けて合計３つとしてもよいし、背面に３つ設けてもよい。
【００３０】
パネルに設けられる取付け識別部３１は、被取付け識別部２４の各要素２４ａ〜２４ｃに対応する位置に、パネル種別ごとに固有の少なくとも１つの取付け識別部要素を有する（図４および図５参照）。
【００３１】
図６は、図１に示す情報処理装置１０の内部の構成を概略的に示すブロック図である。情報処理装置本体１４は、上記構成のほか、ＣＰＵ４１、ＲＡＭ４２、ＲＯＭ４３、ネットワーク接続部４４および記憶部群４５を有する。
【００３２】
ＣＰＵ４１は、ＲＯＭ４３内に記憶されたプログラムに従って、情報処理装置１０の処理動作を制御する。ＣＰＵ４１は、ＲＯＭ４３内に記憶された設定変更プログラムおよびプログラムの実行のために必要なデータを、ＲＡＭ４２へロードし、設定変更プログラムに従って、パネルの着脱にともない各種設定を容易に変更する処理を実行する。
【００３３】
ＣＰＵ４１は、設定変更プログラムによって、少なくとも取付け判定部、種別識別部、設定群取得部、表示制御部、選択取得部、設定変更部、設定異同判定部および設定差戻し判定部として機能する。この各部は、ＲＡＭ４２の所要のワークエリアを、データの一時的な格納場所として利用する。なお、この機能実現部は、ＣＰＵ４１を用いることなく回路などのハードウエアロジックによって構成してもよい。
【００３４】
ＲＡＭ４２は、ＣＰＵ４１が実行するプログラムおよびデータを一時的に格納するワークエリアを提供する。
【００３５】
ＲＯＭ４３は、情報処理装置１０の起動プログラム、設定変更プログラムや、これらのプログラムを実行するために必要な各種データを記憶する。
【００３６】
なお、ＲＯＭ４３は、磁気的もしくは光学的記録媒体または半導体メモリなどの、ＣＰＵ４１により読み取り可能な記録媒体を含んだ構成を有し、ＲＯＭ４３内のプログラムおよびデータの一部または全部は電子ネットワークを介してダウンロードされるように構成してもよい。
【００３７】
ネットワーク接続部４４は、ネットワークの形態に応じた種々の情報通信用プロトコルを実装する。ネットワーク接続部４４は、この各種プロトコルに従って、情報処理装置１０を電子ネットワークに接続する。ここで電子ネットワークとは、電気通信技術を利用した情報通信網全般を意味し、無線／有線ＬＡＮ（Local Area Network）やインターネット網のほか、電話通信回線網、光ファイバ通信ネットワーク、ケーブル通信ネットワークおよび衛星通信ネットワークなどを含む。
【００３８】
記憶部群４５は、パネル用設定群記憶部４６、パネル種別記憶部４７および前回設定記憶部４８を有する。
【００３９】
図７は、パネル用設定群記憶部４６に記憶される、パネル種別、各パネル種別用の設定項目および各設定項目の設定データについて示す説明図である。図７に示すように、パネル用設定群記憶部４６は、あらかじめ、パネル種別ごとに、各パネル種別用の設定項目および各設定項目の設定データ（以下、設定項目と設定データとを総称して設定群という）を記憶しておく。この設定項目は、情報処理装置１０の全設定項目のうち、ユーザが変更可能な設定項目とするとよい。
【００４０】
ユーザが変更可能な設定項目としては、たとえば、壁紙、壁紙に重畳表示される電池残量や電波強度を概略的に示す画像などの各種アイコン、着信時に表示される画像、音声着信やメール着信などがあった際やユーザによる操作部２１の操作に応じて出力すべき各種音からなる鳴動音群、発光部群１５から射出される光（イルミネーション群）などが挙げられる。パネル用設定群記憶部４６は、各設定項目について、各パネルの種別に応じた設定データを関連付けておく（図７参照）。たとえば、鳴動音群の設定データは、あらかじめＲＯＭ４３などに記憶されている複数の音データのいずれかを割り当てることができる。この音データとしては、たとえば、複数のアラーム音、メールサウンド、エフェクト音、電源ＯＮ／ＯＦＦ音、メロディなどのほか、ユーザが自らネットワークを介してダウンロードして取得したメロディなどが挙げられる。
【００４１】
パネル表面に桜の花がプリントされており、パネルの外観が春を連想させるものである場合、このパネル用の設定群は、たとえば、壁紙の画像には満開の桜の画像データが、電池残量アイコンには桜の花びらの枚数で残量を表現するための画像データが、音声着信音やメール着信音には桜に関連する音データが、それぞれ関連付けられて構成される。
【００４２】
なお、パネル用設定群記憶部４６には、パネル種別とパネル用設定群とを関連付けた情報を、ネットワークからダウンロードして記憶させてもよい。
【００４３】
パネル種別記憶部４７は、あらかじめ、被取付け識別部２４から出力されるパネル識別信号とパネル種別とを関連付けて記憶しておく（図５参照）。前回設定記憶部４８は、設定変更部に制御され、変更すべき設定項目と変更すべき設定項目ごとの現在の設定データとを関連付けた情報（以下、前回設定情報という）を記憶する。
【００４４】
次に、本実施形態に係る情報処理装置１０の動作の一例について説明する。図８は、図１に示す情報処理装置１０のＣＰＵ４１により、パネルの着脱にともない各種設定を容易に変更する際の手順を示すフローチャートである。図８において、Ｓに数字を付した符号は、フローチャートの各ステップを示す。
【００４５】
なお、以下の手順では、取付け識別部３１として第３取付け識別部要素３１ｃのみを有するパネルＰ１（図５参照）を取り付ける場合の例について説明する。
【００４６】
また、あらかじめ、パネル用設定群記憶部４６がパネル種別とパネル種別に応じた設定群とを関連付けて記憶し、パネル種別記憶部４７がパネル種別と被取付け識別部２４から出力されるパネル識別信号とを関連付けて記憶しているものとする。
【００４７】
まず、ステップＳ１において、取付け判定部は、被取付け識別部２４からパネルが取り付けられている旨の信号が出力されたかどうかを監視し、パネルが取り付けられているか否かを判定する。被取付け識別部２４からパネルが取り付けられている旨の信号を受けた場合は、取付け判定部はパネルが取り付けられていると判定し、ステップＳ２に進む。一方、パネルが取り付けられた旨の信号を受けていない場合は、取付け判定部はパネルが取り外されていると判定し、ステップＳ８に進む。
【００４８】
次に、ステップＳ２において、種別識別部は、被取付け識別部２４から被取付け識別部２４の第３被取付け識別部要素２４ｃのみが押し込まれた旨の信号（パネル識別信号）を受け、このパネル識別信号にもとづいてパネル識別記憶部を検索し、取り付けられたパネルがパネルＰ１であると識別する。
【００４９】
次に、ステップＳ３において、設定群取得部は、パネル用設定群記憶部４６からパネルＰ１用の設定群を取得する。
【００５０】
次に、ステップＳ４において、表示制御部は、パネルＰ１用の設定群を構成する設定項目のうち、実際に変更すべき設定項目をユーザに選択させるための画像をＬＣＤ２０に表示させる。この画像は、たとえば、パネルＰ１用設定群の設定項目ごとにチェックボックスを設け、ユーザが操作部２１を介して各設定項目のチェックボックスに対してチェックを付したり外したりすることができるような画像とするとよい。この画像を利用することにより、たとえば、音声着信音について変更前の設定データを引き続き使用したい場合には、ユーザは、音声着信音のチェックを外し、音声着信音以外の設定項目のみに対して変更を施すことができる。
【００５１】
次に、ステップＳ５において、選択取得部は、ユーザにより操作部２１を介して入力された変更すべき設定項目の情報を取得する。
【００５２】
次に、ステップＳ６において、設定変更部は、選択取得部から変更すべき設定項目の情報を受け、変更すべき設定項目と、変更すべき設定項目ごとの現在の設定データとを関連付けた情報（前回設定情報）を前回設定記憶部４８に記憶させる。
【００５３】
次に、ステップＳ７において、設定変更部は、選択取得部から受けた変更すべき設定項目の情報と、設定群取得部から受けたパネルＰ１用の設定群とにもとづいて、変更すべき設定項目について、パネルＰ１用の設定データに変更する。
【００５４】
以上のステップＳ１〜ステップＳ７により、パネルの取り付けにともない各種設定を容易に変更することができる。
【００５５】
なお、図８のステップＳ４およびＳ５で行われる変更すべき設定項目の選択は、行わなくてもよい。ステップＳ４およびＳ５を実行しない場合は、全ての設定項目を変更してしまうよう情報処理装置１０を構成してもよいし、あらかじめ選択を行うよう構成してもよい。あらかじめ選択を行う場合は、変更すべき設定項目の情報をあらかじめ記憶媒体に記憶しておけば、ステップＳ６において、設定変更部は、このあらかじめ記憶された変更すべき設定項目の情報にもとづいて各種設定を変更することができる。図８のステップＳ４およびＳ５を実行しない場合、パネルの取り付けにともない、各種設定が自動的に変更される。
【００５６】
他方、ステップＳ１において取付け判定部はパネルが取り外されていると判定した場合には、ステップＳ８において、設定異同判定部は、前回設定記憶部４８から前回設定情報を読み出し、前回の設定と現在の設定が異なるかどうか判定する。前回の設定と現在の設定が異なる場合にはステップＳ９に進む。一方、同一である場合または前回設定情報が記憶されていない場合には、一連の手順は終了となる。
【００５７】
次に、ステップＳ９において、表示制御部は、現在の設定を前回の設定に差し戻すか否かをユーザに確認するための画像をＬＣＤ２０に表示させる。
【００５８】
次に、ステップＳ１０において、設定差戻し判定部は、ユーザにより操作部２１を介して前回の設定に差し戻すべき旨の指示を受けたかどうか監視し、現在の設定を前回の設定に変更すべきか否かを判定する。前回の設定に変更すべき旨の指示を受けた場合は、ステップＳ１１に進む。一方、現在の設定のままでよい旨の指示を受けた場合は、一連の手順は終了となる。次に、ステップＳ１１において、設定群取得部は、前回設定記憶部４８から前回設定情報を取得する。次に、ステップＳ１２において、設定変更部は、設定群取得部から受けた前回設定情報にもとづいて、各種設定を変更する。
【００５９】
以上のステップＳ９〜ステップＳ１２により、パネルの取り外しにともない各種設定を容易にパネル取付け前の設定に戻すことができる。
【００６０】
なお、あらかじめ、ステップＳ８において現在の設定と前回の設定が異なると判定された場合には、かならず前回の設定に戻すようにあらかじめ定めておいてもよい。この場合、ステップＳ９およびＳ１０は省略可能であり、ステップＳ８のＹＥＳ判定後、ステップＳ１１に進めばよい。したがって、この場合、パネルの取外しにともない、ステップＳ９およびＳ１０を実行せず、すなわちユーザの指示を必要とせず、自動的に、各種設定がパネル取付け前の設定に戻される。
【００６１】
また、各種設定の変更に利用される各パネル用設定群について、本実施形態においては、取り付けられたパネルの種別に応じて自動的に抽出される場合の例について示したが、パネル用設定群記憶部４６に設定されている全ての設定群からユーザが任意に選択可能としてもよい。この場合、パネル用設定群記憶部４６には、ネットワークからダウンロードした設定群を記憶させておき、この設定群を選択候補に含めるようにしてもよい。
【００６２】
本実施形態に係る情報処理装置１０は、取り付けられたパネルの種別を自動的に識別する。このため、取り付けられたパネルの種別に応じて、各種設定を自動的に変更することができる。したがって、本実施形態に係る情報処理装置１０によれば、ユーザは、パネルを取り付けるだけで情報処理装置１０のイメージをパネルの外観にあうイメージとすることができ、大変利便性が高い。
【００６３】
また、本実施形態に係る情報処理装置１０は、各種設定の変更にあたり、変更すべき設定項目の設定データのみを変更することができる。この変更すべき設定項目は、ユーザが選択することができる。このため、この情報処理装置１０によれば、ユーザが変更を望まない設定項目については変更せずにすむため、よりユーザの望むイメージに近づけることができる。
【００６４】
また、本実施形態に係る情報処理装置１０は、パネルを取り付ける際、各種設定を変更する前に、現在の設定を前回設定情報として記憶しておく。このため、パネルが取り外された場合に、容易にパネル取り付け前の設定に差し戻すことができる。したがって、ユーザは、パネルおよびパネルに応じた各種設定が好みでなかった場合にも、速やかに設定を変更前に戻すことができ、気軽に種々のパネルを試すことができる。
【００６５】
次に、本発明に係る情報処理装置の第２実施形態について説明する。図９は、本発明に係る情報処理装置の第２実施形態を示す概略的な全体構成図である。
【００６６】
図９に示した情報処理装置１０Ａは、パネルが不揮発性記憶部を備え、この不揮発性記憶部に各パネル用の設定群を記憶させておき、各種設定の変更に際してこの不揮発性記憶部に記憶された設定群を用いることができるようにしたものである。図１に示した情報処理装置１０と同一の構成には、同一符号を付して説明を省略する。
【００６７】
図９に示すように、パネルは、取付け識別部３１と、不揮発性記憶部としてのＮＶＲＡＭ５０を有する。ＮＶＲＡＭ５０は、パネルに内蔵されてもよいし、また、パネルがＮＶＲＡＭ５０を外付け可能な構成としておき、ＮＶＲＡＭ５０を外付けしてもよい。パネルがＮＶＲＡＭ５０を外付け可能な構成とする場合、ＮＶＲＡＭ５０の替わりにフラッシュメモリなどの汎用外部メモリをパネルに外付けして情報処理装置１０Ａに取り付け、この汎用外部メモリの記憶領域を通常使用時のユーザデータの記憶領域として利用可能に情報処理装置１０Ａを構成してもよい。
【００６８】
ＮＶＲＡＭ５０には、あらかじめ、少なくともこのパネル用の設定群が記憶されている。このため、情報処理装置１０Ａは、ＮＶＲＡＭ５０に記憶されている設定群にもとづいてこのパネルのイメージに沿った各種設定の変更を行うことができる。
【００６９】
したがって、パネル用設定群にもとづいて各種設定を変更するに際し、本実施形態に係る情報処理装置１０Ａは、パネル種別を識別する必要がなく、パネルが取り付けられたかどうかを判定可能であればよい。つまり、被取付け識別部２４および取付け識別部３１の要素は、それぞれ一つずつ設けられていれば足りる。また、被取付け識別部２４および取付け識別部３１を設けずとも、たとえば情報処理装置１０Ａに簡便なスイッチを設け、このスイッチの位置を、パネルが取り付けられている際に押される位置としておけば、このスイッチから出力される押下された旨の信号をもって、パネルが取り付けられたかどうかを判定することができる。
【００７０】
なお、ＮＶＲＡＭ５０は、情報処理装置１０Ａの電源が遮断された後も記憶情報を保持しうる不揮発性の記憶媒体であって、ＣＰＵ４１により読み取りおよび書き込み可能な記憶媒体を含んだ構成を有する。このＮＶＲＡＭ５０として、たとえばＥＥＰＲＯＭ等を用いることができる。また、ＮＶＲＡＭ５０の記憶領域の余剰領域は、通常使用時のユーザデータを記憶するための領域として利用してもよい。
【００７１】
ＮＶＲＡＭインターフェース５１は、情報処理装置１０Ａおよびパネルにそれぞれ設けられる。情報処理装置１０Ａは、ＮＶＲＡＭインターフェース５１を介して、ＮＶＲＡＭ５０に対する読み取りおよび書き込みを行う。このＮＶＲＡＭインターフェース５１は、パネルが第１の筐体１１に取り付けられた際に、ＮＶＲＡＭインターフェース５１同士が、たとえば互いに嵌合することなどによって、電気的に接続されるよう構成されていれば足りる。したがって、たとえば、被取付け識別部２４および取付け識別部３１を設ける場合、この被取付け識別部２４および取付け識別部３１に、ＮＶＲＡＭインターフェースとしての機能をさらに有するように構成してもよい。この場合、ＮＶＲＡＭインターフェース５１を設ける必要がなくなる。
【００７２】
また、パネル種別を識別する必要がないため、図６に示した第１実施形態のＣＰＵ４１の機能実現部のうち、種別識別部は、本実施形態においては必要ではない。さらに、取り付けられるパネル用の設定群は、各パネルがＮＶＲＡＭ５０に記憶しているため、図６に示した第１実施形態の記憶部群４５のうち、パネル用設定群記憶部４６およびパネル種別記憶部４７は、本実施形態においては必要ではない。
【００７３】
次に、情報処理装置１０Ａの動作の一例について説明する。図１０は、図９に示す情報処理装置１０ＡのＣＰＵ４１により、パネルの着脱にともない各種設定を容易に変更する際の手順を示すフローチャートである。図１０において、Ｓに数字を付した符号は、フローチャートの各ステップを示す。また、図８と同等のステップには同符号を付し、重複する説明を省略する。
【００７４】
なお、以下の手順では、ＮＶＲＡＭ５０を有するパネルＰ１０を取り付ける場合の例について説明する。また、あらかじめ、ＮＶＲＡＭ５０は、パネルＰ１０用の設定群を記憶しているものとする。
【００７５】
ステップＳ２１において、設定群取得部は、取付け判定部からパネルが取り付けられた旨の信号を受け、ＮＶＲＡＭインターフェース５１を介してＮＶＲＡＭ５０からパネルＰ１０用設定群を取得する。
【００７６】
ステップＳ２２において、設定変更部は、選択取得部から受けた変更すべき設定項目の情報と、設定群取得部から受けたパネルＰ１０用の設定群とにもとづいて、変更すべき設定項目について、パネルＰ１０用の設定データに変更する。
【００７７】
図１０に示した手順によっても、パネルの着脱にともない各種設定を容易に変更することができる。図９に示す情報処理装置１０Ａによっても、図１に示した情報処理装置１０と同様の作用効果を奏する。
【００７８】
また、図９に示す情報処理装置１０Ａは、パネル用設定群を記憶したＮＶＲＡＭ５０を有するパネルを利用する。このため、被取付け識別部２４および取付け識別部３１の要素の数に制限されることなく、パネル用設定群を記憶したＮＶＲＡＭ５０を有するあらゆるパネルについて、パネルの取り付けにともない各種設定を変更することができる。また、ＮＶＲＡＭ５０の余剰領域をユーザデータの記憶領域として利用可能に情報処理装置１０Ａを構成すれば、さらにユーザの利便性を向上させることができる。
【００７９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【００８０】
また、本発明は、筐体にパネルが着脱可能であり、かつ、表示装置、スピーカおよび発光部などの出力に関する各種設定を変更可能な情報処理装置に対して適用可能である。特に本発明は、パネルの着脱が容易な携帯型の情報処理装置に適している。したがって、本発明は、本実施形態で説明した携帯電話機のほかにも、特に、ＰＤＡ（Personal Digital Assistant）、携帯型ゲーム機、携帯型音楽再生機、携帯型動画再生機などの携帯型の情報処理装置に適用することが可能である。
【図面の簡単な説明】
【００８１】
【図１】（ａ）は情報処理装置が開いている状態における正面からみた外観図、（ｂ）は側面から見た外観図。
【図２】図１に示す情報処理装置が閉じている状態における正面から見た外観図。
【図３】図１に示す情報処理装置が開いている状態における背面から見た外観図。
【図４】第１の筐体に対して着脱可能なパネルを取り付ける際の様子を示す説明図。
【図５】パネルの取付け識別部要素の組み合わせと、パネル種別との対応関係を示す説明図。
【図６】図１に示す情報処理装置の内部の構成を概略的に示すブロック図。
【図７】パネル用設定群記憶部に記憶される、パネル種別、各パネル種別用の設定項目および各設定項目の設定データについて示す説明図。
【図８】図１に示す情報処理装置のＣＰＵにより、パネルの着脱にともない各種設定を容易に変更する際の手順を示すフローチャート。
【図９】本発明に係る情報処理装置の第２実施形態を示す概略的な全体構成図。
【図１０】図９に示す情報処理装置のＣＰＵにより、パネルの着脱にともない各種設定を容易に変更する際の手順を示すフローチャート。
【符号の説明】
【００８２】
１０、１０Ａ  ・・・情報処理装置    １１  ・・・  第１の筐体    １２  ・・・  第２の筐体    １３  ・・・  ディスプレイユニット    １４  ・・・  情報処理装置本体    １５  ・・・  発光部群    １６  ・・・  第１のＬＥＤ    １７  ・・・  第２のＬＥＤ    １８  ・・・  第３のＬＥＤ    １９  ・・・  連結部    ２０  ・・・  ＬＣＤ    ２１  ・・・  操作部    ２１ａ  ・・・  十字キー    ２１ｂ  ・・・  決定キー    ２２  ・・・  スピーカ    ２３  ・・・  ＣＣＤカメラ    ２４  ・・・  被取付け識別部    ２４ａ  ・・・  第１被取付け識別部要素    ２４ｂ  ・・・  第２被取付け識別部要素    ２４ｃ  ・・・  第３被取付け識別部要素    ３１  ・・・  取付け識別部    ３１ａ  ・・・  第１取付け識別部要素    ３１ｂ  ・・・  第２取付け識別部要素    ３１ｃ  ・・・  第３取付け識別部要素    ４１  ・・・  ＣＰＵ    ４２  ・・・  ＲＡＭ    ４３  ・・・  ＲＯＭ    ４４  ・・・  ネットワーク接続部    ４５  ・・・  記憶部群    ４６  ・・・  パネル用設定群記憶部    ４７  ・・・  パネル種別記憶部    ４８  ・・・  前回設定記憶部    ５０  ・・・  ＮＶＲＡＭ    ５１  ・・・  ＮＶＲＡＭＩ／Ｆ
【図１】
2009020576.tif 000003
【図２】
2009020576.tif 000004
【図３】
2009020576.tif 000005
【図４】
2009020576.tif 000006
【図５】
2009020576.tif 000007
【図６】
2009020576.tif 000008
【図７】
2009020576.tif 000009
【図８】
2009020576.tif 000010
【図９】
2009020576.tif 000011
【図１０】
2009020576.tif 000012